(57)【特許請求の範囲】
【請求項１】
少なくとも１つの可調節部材（４）と、前記可調節部材（４）を調節するためのアクチュエータシステム（６〜１０；１６）と、を備える可調節家具製品であって、前記アクチュエータシステムは、
少なくとも１つの電動リニアアクチュエータ（６、２６）と、任意の要素としての被駆動の走行輪と、
操作部（１０）と有線または無線で接続される電動コントローラと、
主電源からの電力供給または第１タイプの充電式電池を用いる電池パック（９）からの電力供給を受ける電源部と、を備え、
前記電池パック（９）は、インターフェースとしてのフロントエンド部を備え、前記フロントエンド部は、前記電池パック（９）が前記第１タイプの充電式電池とは異なる第２タイプの充電式電池からの供給を受けることを可能にし、前記フロントエンド部を用いることにより、前記第２タイプの充電式電池を用いる電池パック（９）は、前記第１タイプの充電式電池を用いる電池パック（９）であるかのごとく挙動することを特徴とする可調節家具製品。
【請求項２】
前記第１タイプの充電式電池は鉛電池であり、前記第２タイプの充電式電池はリチウムイオン電池であることを特徴とする、請求項１に記載の可調節家具製品。
【請求項３】
前記フロントエンド部は、前記電池の充電に適した電圧を前記電池に供給するために、充電電圧を増減させて調節するように構成された充電回路を備えることを特徴とする、請求項１に記載の可調節家具製品。
【請求項４】
前記フロントエンド部は、前記電池の残容量に基づいて、一般的な鉛電池を例とする対照電池が同等の残容量を有する際に出力する電圧に出力電圧を調整することを特徴とする、請求項３に記載の可調節家具製品。
【請求項５】
前記フロントエンド部から流出する電流が所定の閾値を超える場合は、前記フロントエンド部は、前記電池の出力電圧の供給を前記コントローラが直接に受けるように出力電圧を制御することを特徴とする、請求項４に記載の可調節家具製品。
【請求項６】
前記フロントエンド部は、前記コントローラと充電器との間の通信のインターフェースとして機能する電磁誘導リンクを備えることを特徴とする、請求項４又は５に記載の可調節家具製品。
【請求項７】
前記フロントエンド部は、接続された充電器が前記電池を充電するのに十分な電圧と電流を供給可能な場合は、前記充電回路を迂回するように構成されていることを特徴とする、請求項３に記載の可調節家具製品。
【請求項８】
前記電池は、複数の電池セル（１７）を備え、前記フロントエンド部は、個々の前記電池セル（１７）を保護するための安全回路（１９）を備えることを特徴とする、請求項３に記載の可調節家具製品。
【請求項９】
前記フロントエンド部は、前記電池に流入する電力と前記電池から流出する電力とを監視することよって前記電池の残容量を示すことが可能な回路（２０）を備えることを特徴とする、請求項３に記載の可調節家具製品。
【請求項１０】
前記フロントエンド部は、充電状態を含むデータを前記電池パック（９）から前記コントローラに通信する手段を備えることを特徴とする、請求項３に記載の可調節家具製品。
【請求項１１】
前記フロントエンド部は、充電器の能力を含むデータを前記コントローラから前記電池パックに通信する手段（２２）を備えることを特徴とする、請求項３に記載の可調節家具製品。
【発明の詳細な説明】
【技術分野】
【０００１】
本発明は、少なくとも１つの可調節部材と、可調節部材を調整するアクチュエータシステムとを備える可調節家具製品に関する。アクチュエータシステムは、少なくとも１つの電動リニアアクチュエータを備え、加えて、走行輪と、充電式電池パックを有する電源部と、コントローラと、操作部と、をさらに備えうる。
【背景技術】
【０００２】
本明細書における可調節家具製品との用語は最も広い意味に解釈するべきであり、座位／立位机、作業台、カウンターなどを含むテーブル、治療用椅子、歯科治療用椅子、理容室用椅子、美容室用椅子、車椅子などを包む椅子、家庭用可動式ベッド、介護ベッド、病院ベッド、治療台、ストレッチャー、患者リフターなどを含むベッドを包含する。
【０００３】
便宜上、本発明を患者リフターに基づいて説明するが、上述したどの種類の家具でも選択可能である。患者リフターは、運動障害がある患者をベッドから別の家具製品に、あるいはその逆に移送するのに用いられる。患者リフターの多くは、可動性を高めるために電池パックを電源部として備えており、そのような患者リフターは主電源（mains）に接続しなくても使用可能である。患者リフターは、例えば、Asger Gramkowの国際公開ＷＯ２００４／０６９１２５Ａ１あるいはCampbellの米国特許ＵＳ５，６９７，１１０Ａを参照とする走行輪を備えてもよい。Campbellの第１２カラム５３行目以降には、電池とその充電についての記載がある。走行輪についてのより詳細な例は、Tente社の国際公開ＷＯ２００７／０９３５４９Ａ１に記載されている。同公報に記載の走行輪は病院ベッド用であるが、患者リフターにも適用可能である。
【０００４】
アクチュエータシステムを備える可動式家具についての先行技術によれば、電池パックは、いわゆる鉛酸蓄電池（以降は、鉛電池とも記載）を備える。鉛酸蓄電池は、鉛電極と酸から成る電解質とを有する充電式電池である。この種の電池は低価格であり、魅力ある電池とされてきた。しかしながら、リチウムイオンタイプの充電式電池の導入および商品化がこの図式に変化をもたらし、今やこれらの電池が魅力的な代替品となっている。リチウムイオン電池は鉛電池に比較して、容量が同じであれば大きさが半分であり、容量が同じであれば重さが３分の１であり、完全放電に至るまで電圧レベルが一定であり、電池寿命が５倍長く、より環境に優しいという利点を有する。その一方で、リチウムイオン電池は充電時の電圧が過剰に高い場合に過敏となり、高電圧によって電池が恒久的に損傷したり、最悪の場合には破裂したりするおそれがある。
【０００５】
リチウムイオン技術の電池パックを新規の患者リフターに導入、製造することはいたって簡単である。しかしながら、既存の患者リフターにおいて、旧式の鉛電池を新式のリチウムイオン電池に交換するとなると状況は全く異なる。鉛電池とリチウムイオン電池とでは、電圧レベルが異なるからである。このことは、例えば、鉛電池充電用の充電器でリチウムイオン電池を充電する場合に問題となる。加えて、旧式の患者リフターでは、鉛電池の充電状態が電圧降下に反映されることを利用して電池の充電状態を視覚的に表示している。リチウムイオン電池の出力電圧は、上述したように、電池が完全に放電する直前まで実質的に変化しない。言い換えると、鉛電池の場合とは異なり、単に電圧を測定することによって電池の充電状態を判定することは不可能である。
【先行技術文献】
【特許文献】
【０００６】
【特許文献１】国際公開第２００４／０６９１２５号
【特許文献２】米国特許第５，６９７，１１０号明細書
【特許文献３】国際公開第２００７／０９３５４９号
【発明の概要】
【発明が解決しようとする課題】
【０００７】
可調節家具製品用の交換電池の市場は大きく、よって、上述した課題の解決として、例えば、リチウムイオンなど異なる化学組成の電池を利用可能で、鉛電池を備える一般的な電池パックと直接に互換可能な代替電池パックの提供が望まれる。
【課題を解決するための手段】
【０００８】
本発明は、請求項１に記載したような可調節家具製品の構成により上記課題を解決する。アクチュエータシステムは、電池パックとアクチュエータシステムの他の部分との間のインターフェースとして機能するフロントエンド部を有する。フロントエンド部は、第１タイプとは異なるタイプの電池を電池パックに装着することを可能にしつつ、この電池パックがアクチュエータシステムでは第１タイプの電池を備える電池パックであるかのごとく挙動することを可能にする。
【０００９】
これにより、例えばリチウムイオン電池を備える電池パックを、鉛電池を備える電池パックで交換することが可能になるので有用である。
【００１０】
一実施形態では、フロントエンド部は、電池の充電に適した電圧を電池に供給するために、充電電圧を増減して調節するように構成された充電回路を備える。
【００１１】
例えば、充電回路は、電源部から供給される電圧よりも高い電圧でリチウム電池を充電するように構成されたブースターを備える。鉛電池用の充電器では、リチウム電池の全容量を充電するのに必要な電圧を供給することができないので、ブースターは有用である。これにより、電圧を高くして電池を充電することが可能になるからである。ブースターは、スイッチモードコンバータとして実装可能である。同様に、充電回路はレギュレータを備えてもよい。レギュレータもスイッチモードのレギュレータであってもよく、電池を直接に充電するには供給電圧が高すぎる場合に、電圧を適切なレベルに制御する。
【００１２】
リチウムイオン電池は、過電圧の影響を受けやすいので、フロントエンド部は、個々の電池セルを保護する安全回路を備える。この保護は、第一義的には過電圧保護である。リチウムイオン電池技術を用いる場合には、電圧変動が爆発を引き起こす可能性があるので安全回路は必須である。過電圧が生じた場合、安全回路は、電圧レベルが許容可能なレベルに戻るまで接続を遮断することにより電池セルを保護する。
【００１３】
さらに別の実施形態では、フロントエンド部は、電池に流れ込む電力及び電池から流れ出す電力を監視する回路であって、電池の充電状態に基づいて、一般的な鉛電池が同等の電力状態の際に出力する電圧に相当する出力電圧を供給する回路をさらに備える。既存の患者リフターのコントローラは、電池の充電状態を監視し、図式的にその状態を示すように構成されている。鉛電池では、単純に電圧レベルを用いて充電状態を表すことができる。リチウムイオン電池では、電池が完全に放電する直前まで電圧は実質的に変化しない。よって、残電力を把握するには、電池に供給される電力（エネルギー）と電池から取り出される電力とを監視する必要がある。この目的を達成するために、クーロンカウンタを専用のチップとして備えるか、コントローラ又はフロントエンド部を機能拡張してこの目的を達成する。フロントエンド部は、電池の推定残電力に基づいて、無負荷時（idle period）の電池の出力電圧を、鉛電池を例とする対照電池が同等の推定残電力を有する場合に出力する電圧と同じになるように調整する。電圧の適合調整を行えるように、フロントエンド部は、電池パックにおける電池の所与の残電力に対応する出力電圧を近似的にあるいは電圧間隔で示すテーブルを備えていなければならない。
【００１４】
好適には、フロントエンド部から流出する電流が所与の閾値を超える場合は、フロントエンド部は、電池の出力電圧の供給をコントローラが直接に受けるように出力電圧を制御する。これによりコントローラは、電池の残容量のエミュレーション(emulation)や表示に利用するための電圧降下を伴わない、電池のフル出力の恩恵を受けることができる。
【００１５】
電池パックは、リチウムイオン電池を例とする新タイプの電池を備える電池パックに対応した新式の患者リフターにも直接に利用可能であることが求められるが、電池パックが、旧タイプである鉛電池を例とする対照電池に対応したパックであるとは限らない。よって、フロントエンド部は、充電状態を含むデータを電池パックからコントローラに通信する手段を備えている。したがって、電池パックは、電池パックの残容量についての情報をデジタルで通信可能であり、鉛電池の出力電圧のシミュレートする必要がない。
【００１６】
フロントエンド部が、充電器の機能を含むデータをコントローラから電池パックへ通信する手段を備えているので、患者リフターが信号を発信して、患者リフターが電池パックのエミュレーションを必要としない新式のものであるのか、あるいは、電池パックは鉛電池を備えるが、患者リフターはこの電池パックを直接に利用可能であり、その方式に対応可能であるのか示すことができる。特に、コントローラは、充電器がリチウムイオン電池の全容量を充電するのに十分な高電圧を供給可能である旨を示すことができる。また、充電器がより高い充電電流を供給可能である旨をコントローラが示すことができるので、電池パックは充電回路を調整してこれをサポートすることが可能である。これら通信は、従来の有線接続を介して行うことができる。
【００１７】
電池の充電中および電動リニアアクチュエータの動作中に電気ノイズが発生するので、フロントエンド部は、コントローラと充電器との間の通信のインターフェースとして機能する電磁誘導リンクを備えることが好ましい。よって、電磁誘導リンクは電気的に分離された結合として機能して、ノイズを防止する。電磁誘導リンクを介した通信は、周波数偏移変調（frequency shift keying）（ＦＳＫ）の原理を利用したバースト信号を用いて行われる。より具体的には、第１中心周波数を有するバーストは論理０に相当する信号であり、第２中心周波数を有するバーストは、論理１に相当する信号である。これらの信号は、検証に際して、有効信号成分であると特定される持続時間をさらに有していなければならない。コントローラから電池パックへ、あるいはその逆に送信される信号は、相互に一意の伝達が行えるようプロトコルに従って記載しなければならない。
【００１８】
電磁誘導リンクの代わりに例えば光カプラを用いて、通信リンクを介したデータ通信を光通信で行うこともできる。
【００１９】
これにより通信が電源部から電気的に分離されるので、電気ノイズの影響を受けないという利点が得られる。
【００２０】
電池パックが通信リンクを介して受け取った信号が、専用のリチウムイオン充電器が利用可能である旨を示す場合、あるいは、接続された充電器についてフロントエンド部が測定した電圧レベルが、電池の充電に十分な電圧に相当する所定の閾値電圧を超える電圧を当該充電器が供給可能である旨を示す場合、フロントエンド部は、充電回路を迂回するか、あるいは充電回路のブースターを迂回する。このことは、ブースターが、電池が受け入れ可能な大きな充電電流に専用の充電器が対応又は供給するように構成されてない場合には、利点となる。
【００２１】
さらに別の実施形態では、フロントエンド部は電池パックから分離されており、別体の筐体に収納されている。既存の患者リフターにリチウムイオン電池パックを後付けしたい場合には、フロントエンドモジュールが両ユニットの間に好適に挿入されて、リチウムイオン電池パックを一般的な鉛電池パックであるかのごとく患者リフターのコントローラに認識させる。認識後、電池パックの利用が可能になり、患者リフターにリチウムイオン技術の優れた特性を提供できる。
【図面の簡単な説明】
【００２２】
以下、添付図面を参照して、電動リニアアクチュエータについてより詳細に説明する。
【００２３】
【図１】第１実施形態におけるアクチュエータシステムを備える患者リフターの模式図である。
【図２】相互に接続された制御ボックスと電池パックとを示す図である。
【図３】患者リフターのアクチュエータシステムにおいて可能な組み合わせを示す概念図である。
【図４】制御ボックス、充電器、電池パックの一般的な３つの配置構成を示す図である。
【図５】電池パックの個々の部品を示す模式図である。
【図６】フロントエンド回路を含む、電池パックの回路図である。
【図７】鉛電池とリチウムイオン電池それぞれの放電カーブを示すグラフである。
【図８】電動リニアアクチュエータを示す図である。
【図９】電動リニアアクチュエータの縦断面図である。
【発明を実施するための形態】
【００２４】
図１は、走行輪３を備えるフレーム２を有する患者リフター１を示す。フレーム２の一端に固定されたアーム４は、水平軸を中心にして傾斜可能である。アーム４の他端には、患者を持ち上げるためのリフトフック５が固定されている。アーム４は電動リニアアクチュエータ６により昇降可能であり、電動リニアアクチュエータは一端がフレーム２に、他端がアームに固定されている。患者リフター１は、フレームに固定された制御ボックス７を有する。制御ボックス７はコントローラと電池パック９とを有し、本実施形態では、電池は別体の電池ボックス８に収納されている。患者リフター１は操作部１０をさらに備え、本実施形態では、操作部は制御ボックス７に有線接続されている。ただし、操作部は当然ながら無線であってもよい。操作部１０を用いることにより、リニアアクチュエータ６を起動してアーム４を昇降させることができる。患者を持ち上げるためのリフトブーム１２は、通常、リフトフック５に挿し込まれている。
【００２５】
図２に、制御ボックス７と、電池パック９を備える電池ボックス８とをさらに示す。図示の通り、制御ボックス７は非常用スイッチ１３を備え、患者が負傷する恐れが生じた場合にリニアアクチュエータの動作を中断させて、事故を防止あるいは少なくとも軽減することができる。制御ボックス７は、コントローラの監視用に各種の表示ランプ１４も備える。例えば、あるランプは、主電源が接続されているか否かを示す。別のランプは、電池パック９が充電中であるか否かを示す。さらに、電池の推定残容量を示すパネル１５を備える。鉛電池の電圧は放電割合を反映し、電池電圧は直線的なパターンで変化すると推定されるので、鉛電池用の患者リフターの場合は、電池電圧の測定値に基づいて表示が行われる。
【００２６】
図３は、患者リフターのアクチュエータシステムの概念図である。同図は、コントローラ（制御ボックス７）を示すと共に、選択可能な複数種類の電動リニアアクチュエータ６と、それに接続することができる選択可能な複数種類の操作部１０とを示している。電池パック９と組み合わせてコントローラ（制御ボックス７）を機能拡張することにより、主電源に接続された電源部に接続せずに、患者リフターを移動させて動作させることが可能になる。同図には、各種の充電器１６がさらに示してあり、これらは、主電源からの供給を直接に受けて患者リフター１を動作させるのに利用可能である。加えて、充電器は、電池パックを直接に又はコントローラを介して充電することもできる。
【００２７】
図４は、３つの主要部品である制御ボックス７と、電池パック９と、充電器１６との一般的な接続形態を示している。同図の（ａ）は、電池ボックスに接続された制御ボックスを示す。同図の（ｂ）は、制御ボックス７から切り離されて、充電器１６に装填された電池パック９を示す。充電器は、実際には壁に吊るしてあってもよい。充電器１６で予備の電池パック９を充電しておき、患者リフター１の使用により放電した電池パック９の交換用として利用できる。同図の（ｃ）は別の実施形態を示しており、３つの主要部品が患者リフター１上で連結されている。患者リフターを使用しないときは、充電器１６を主電源に接続して制御ボックス７への供給、及び／又は、電池パック９の充電を行ってもよい。
【００２８】
図５の模式図にさらに示す電池パック９は、鉛電池を備えてもよく、リチウム電池を備えてもよく、あるいは、他の化学組成の電池を備えてもよい。電池パック９は所定数の電池セル１７を備え、同図では８つの個別の電池セル１７が示してある。電池パック９はプリント回路基板１８をさらに備え、これに安全回路１９が配置されている。安全回路は、電池セル１７を過電圧から常時保護する。電池パックは、電池の残容量を監視するマイクロプロセッサ２０をさらに備える。
【００２９】
鉛電池の電池パックで作動するように構成された既存の患者リフター１に電池パック９を後付けして使用できるように、電池パック９はフロントエンド部を有する。フロントエンド部は、例えばＡＳＩＣ２１のような、その機能専用のハードウェア部品として構成されてもよいし、マイクロプロセッサ２０で実行可能な命令として構成されてもよい。フロントエンド部２１を用いることにより電池パック９は、標準タイプとは異なるタイプの化学組成の電池セル１７に適合して使用することができ、コントローラ８に対しては、電池パック９が標準タイプの電池パック９であるかのように模擬(emulate)できる。加えて、プリント回路基板１８には、電池パックとの通信のインターフェースとして機能する回路２２が取り付けられている。これは、有線接続としてもよいし、電気的に分離された接続、例えば、電磁誘導による接続あるいは光学的な接続としてもよい。
【００３０】
電池パック９が備える電池の具体的例としては、従来の鉛電池が標準タイプであるとすると、電池パック９の電池セル１７はリチウムイオンタイプのセルである。よって、患者リフター１が元々備える機能を損なうことなく、上述の優れた特徴を有するリチウムイオン技術にて患者リフター１をアップグレードすることができる。これは、公称電圧レベルがより高いにもかかわらずリチウムイオン電池パック９を満容量まで充電できることと、電池パック９の残容量を監視できることを特に意味する。
【００３１】
図６に示すプリント回路基板１８の回路図にあるように、安全回路１９は電池セル１７の充放電を制御するとともに、電池セル１７を保護している。安全回路１９は、さらに、シリアルのデータ接続を介してマイクロプロセッサ２０と通信する。フロントエンド部が電圧ブースター手段（以降、ブースター回路と記載する）備え、これによりリチウムイオン電池セルを満容量まで充電することが可能になる。ブースター回路は、スイッチモードのブーストコンバータ（充電ブースト）２１として実現してもよく、充電電圧を電池セル１７の公称電圧まで高めるように構成されている。充電ブースト機能は、マイクロプロセッサ２０により制御される。電池が放電されて、接続された充電器１７の電圧レベルより低い電圧になると、充電器が直接に電池パック９に接続されているので、充電器の電力が効率的に利用される。充電は、ＦＥＴ充電トランジスタ２３を介してマイクロプロセッサ２０により制御される。このことは、ＦＥＴ＿ＯＮ機能およびＦＥＴ＿ＯＦＦ機能として回路図に示してある。直接に接続された充電器１７によって最大限可能なだけ電池パック９が充電されると、ブースター回路２１が起動されるので電池９を満容量まで充電できる。ブースター回路２１が起動すると、ＦＥＴ充電トランジスタ２３の接続が解除される。よって、ブースター回路２１は、より少ない電流で電池９を充電するよう構成することができる。充電器１７が十分な電流を供給可能な場合は、ブースターを迂回し、ＦＥＴ充電トランジスタ２３を再度利用して充電時間を短縮することが可能になる。リチウムイオン技術の電池パック９を後付けした患者リフターでも、電池パック残容量を表示する機能を維持可能にするため、フロントエンド部は電池の残容量を測定し、同等の残容量を有する鉛電池パックの出力電圧に対応するように電池パック９の無負荷電圧（idle voltage）をシミュレートするように構成されている。リチウムイオン電池パックの残容量は単に電圧を測定することによっては判定できないので、フロントエンド部は、ハードウェアベースの専用クーロンカウンタを用いて入力電力と出力電力を測定できるように構成される。残容量に基づいて、フロントエンド部は、当該残容量に対応する鉛電池の電圧を示すテーブルを参照し、該当する残容量の比率を反映するように出力電圧を調整する。このテーブルは、マイクロプロセッサ２０に接続されたメモリに保存しておいてもよい。これを説明するために、図７を参照する。同図は、リチウム電池と鉛電池それぞれの放電電圧の推移を比較して示す。図示のように、鉛電池の電圧レベルは、完全放電するまで徐々に減少する。これに対し、リチウム電池の電圧レベルは、完全放電の直前まで比較的一定レベルで安定している。マイクロプロセッサ２０がリチウムイオン電池の残容量を算出するので、同等の残容量の鉛電池が出力する電圧のレベルをテーブルに基づいて割り出すことが可能である。よって、マイクロプロセッサ２０は、無負荷期間（idle period）にブーストコンバータ２４とエミュレータ２５を制御して、電池９の残容量に対応させた出力電圧を供給することができる。これにより、後付けを行った患者リフター１でも、正しい残容量をパネル１５に表示できる���
【００３２】
所定の閾値よりも大きい電力が引き出された場合は、フロントエンド部は、最大レベルの電池電圧をコントローラ８に供給することを可能にする。これは、マイクロプロセッサ２０がＦＥＴ充電トランジスタ２３を起動して、電池電圧を直接に出力端に接続させることにより可能になる。したがって、アクチュエータ６の動作中は常に最大レベルの電圧が供給されることになり、電池パック９の残容量にかかわらず調節動作の速度が可能な限り一定に保たれる。
【００３３】
加えて、回路図には、電池パック９と制御ボックス７と間の通信インターフェースとして機能する回路２２を表すブロックを示している。このインターフェースは、データの送信、受信の双方を行えるように構成されている。上述したように、この回路は、有線接続されていてもよいし、電磁接続あるいは光リンクを利用することによって電気的には分離されていてもよい。通信インターフェースは、電池パックとの通信を行う制御ボックスがマイクロプロセッサ２０から直接に状況情報を受信することを可能にし、同様に、マイクロプロセッサ２０への情報の送信を可能にする。よって、鉛電池を例とする対照電池を模擬して制御ボックスにより残容量を推定することが不要になる。このように、新規な電池パック９は、新規な制御ボックス７と共に機能するように構成されていると共に、既存の患者リフター１にも後付け可能であって、後付けした患者リフターに一般的な電池パック９であるかのごとく動作するように構成されており、特に改変を要することなく新規なリチウムイオン電池技術の利点を提供でき、リチウム電池の容量を犠牲することなく、患者リフター１の制御ボックス７による電池の残容量読取機能も損なうこともない。
【００３４】
図８に示すリニアアクチュエータ２６は、リニアアクチュエータ６と同型であり、内管２７を備える。加えて、リニアアクチュエータは外管２８とモータハウジング２９を備える。リニアアクチュエータ２６は、さらに、前方取り付け部３０を内管２７の外側端部に備え、後方取り付け部３１をモータハウジング２９に備える。
【００３５】
図９は、図８のリニアアクチュエータ２６からモータハウジング２９及び外管２８を部分的に取り除いた状態を示している。リニアアクチュエータ２６の主要構成要素は、スピンドルナット３３が設けられたスピンドル３２によって構成されるスピンドルユニットを含む。スピンドルナット３３は、回転しないように固定することができる。内管２７はスピンドルナット３３に固定されており、スピンドル３２の回転方向に応じて外管２８に対して出入動する。スピンドル３２は、トランスミッションを介して可逆電気モータ３４によって駆動される。トランスミッションは、電気モータのドライブシャフトの延長線上に配置されたウォーム（worm）、ならびに、スピンドル３２に固定されたウォーム歯車３５を含む。さらに、ベアリング３６がスピンドル３２に固定されている。ベアリング３５は、例えば、ボールベアリング又はローラーベアリングとすることができる。
【００３６】
電池ボックス、電池パック、及び、電池セルとの用語に関し、電池ボックスなる用語は電池パックのハウジングを包含する。実際の電池パックは、上記の説明および図５に示すように、電池と諸々の電子部品を含む。電池自体が、所定数の電池セルを含む。
【００３７】
以上、本発明を患者リフターに関連付けて説明したが、本明細書の冒頭部分に記載したように、本発明は可調節家具製品の全般に適用可能である。
【図１】
0006367938.tif 000002
【図２】
0006367938.tif 000003
【図３】
0006367938.tif 000004
【図４】
0006367938.tif 000005
【図５】
0006367938.tif 000006
【図６】
0006367938.tif 000007
【図７】
0006367938.tif 000008
【図８】
0006367938.tif 000009
【図９】
0006367938.tif 000010